(57)【要約】【課題】  大がかりな工事の必要が無く、設置コストが安価で、かつ、汎用性が高い、セキュリティシステムを実現する。【解決手段】  窓や扉に設けられた既存の鍵に設けられ、既存の鍵の施錠及び解錠を制御する鍵制御装置と、窓や扉の所定の位置に設けられ、既存の鍵とは別に、窓や扉の施錠及び解錠を行うロック装置と、鍵制御装置及びロック装置と無線通信を行うセキュリティ管理装置と、セキュリティ管理装置と無線通信を行う携帯端末と、を有し、携帯端末は、鍵制御装置と、ロック装置と、セキュリティ管理装置とを制御するためのアプリケーションソフトを具備し、携帯端末は、アプリケーションソフトの起動によって、所定の操作が行われた後、無線通信を行い、セキュリティ管理装置を介して、鍵制御装置と、ロック装置と、を制御する。【選択図】  図１
2006348530.tif 000002
【特許請求の範囲】
【請求項１】
窓や扉に設けられた既存の鍵に設けられ、該既存の鍵の施錠及び解錠を制御する鍵制御装置と、
前記窓や扉の所定の位置に設けられ、前記既存の鍵とは別に、該窓や扉の施錠及び解錠を行うロック装置と、
前記鍵制御装置及び前記ロック装置と無線通信を行うセキュリティ管理装置と、
前記セキュリティ管理装置と無線通信を行う携帯端末と、を有するセキュリティシステムであって、
前記携帯端末は、前記鍵制御装置と、前記ロック装置と、前記セキュリティ管理装置とを制御するためのアプリケーションソフトを具備し、
前記携帯端末は、前記アプリケーションソフトの起動によって、所定の操作が行われた後、無線通信を行い、前記セキュリティ管理装置を介して、前記鍵制御装置と、前記ロック装置と、を制御することを特徴とするセキュリティシステム。
【請求項２】
前記セキュリティ管理装置は、
前記携帯端末、前記鍵制御装置、前記ロック装置と無線通信を行うための第１の通信部と、
前記携帯端末の識別子情報及び環境情報を保持する記憶部と、
前記携帯端末へ送信するメールを生成するメール生成部と、
前記各部を制御する第１の制御部、とを有し、
前記第１の通信部を介して前記携帯端末から施錠又は解錠の要求を受信した場合、前記鍵制御装置及び前記ロック装置に対し、前記第１の通信部を介して施錠又は解錠要求を送信することを特徴とする請求項１記載のセキュリティシステム。
【請求項３】
前記セキュリティ管理装置は、
前記第１の通信部を介して前記携帯端末から施錠状況の問い合わせ要求を受信した場合、前記鍵制御装置及び前記ロック装置に対し、前記第１の通信部を介して施錠状況の問い合わせ要求を送信し、前記鍵制御装置及び前記ロック装置から前記第１の通信部を介して受信した施錠状況を前記携帯端末へ送信することを特徴とする請求項１又は２記載のセキュリティシステム。
【請求項４】
前記鍵制御装置は、
前記既存の鍵の施錠状況を検知する第１の施錠状況検知部と、
前記セキュリティ管理装置と無線通信を行うための第２の通信部と、
前記既存の鍵の施錠及び解錠操作を行う鍵操作部と、
前記各部を制御する第２の制御部、とを有し、
前記第２の通信部を介して前記セキュリティ管理装置から施錠又は解錠の要求を受信した場合、前記鍵操作部にて前記既存の鍵の施錠又は解錠操作を行うことを特徴とする請求項１から３のいずれか１項に記載のセキュリティシステム。
【請求項５】
前記鍵制御装置は、
前記第２の通信部を介して前記セキュリティ管理装置から施錠状況の問い合わせ要求を受信した場合、前記第１の施錠状況検知部にて施錠状況を検知し、前記第２の通信部を介して検知結果を前記セキュリティ管理装置へ送信することを特徴とする請求項１から４のいずれか１項に記載のセキュリティシステム。
【請求項６】
前記ロック装置は、
施錠状況を検知する第２の施錠状況検知部と、
前記セキュリティ管理装置と無線通信を行うための第３の通信部と、
施錠又は解錠を行う鍵部と、
前記各部を制御する第３の制御部、とを有し、
前記第３の通信部を介して前記セキュリティ管理装置から施錠又は解錠の要求を受信した場合、前記鍵部にて施錠又は解錠を行うことを特徴とする請求項１から５のいずれか１項に記載のセキュリティシステム。
【請求項７】
前記ロック装置は、
前記第３の通信部を介して前記セキュリティ管理装置から施錠状況の問い合わせ要求を受信した場合、前記第２の施錠状況検知部にて施錠状況を検知し、前記第３の通信部を介して検知結果を前記セキュリティ管理装置へ送信することを特徴とする請求項１から６のいずれか１項に記載のセキュリティシステム。
【請求項８】
前記携帯端末は、前記アプリケーションの起動後、所定の入力操作によって、前記ユーザ情報及び前記環境情報が入力され、該ユーザ情報及び該環境情報を前記セキュリティ管理装置へ送信し、
前記セキュリティ管理装置は、前記第１の通信部にて受信した前記ユーザ情報及び前記環境情報を前記記憶部に登録することを特徴とする請求項１から７のいずれか１項に記載のセキュリティシステム。
【請求項９】
前記セキュリティ管理装置は、新規ユーザが登録された場合、登録済みのユーザに対して新規ユーザが登録されたことを知らせるためのメールを前記メール生成部にて生成し、該メールを前記登録済みのユーザの携帯端末へ前記第１の通信部を介して送信することを特徴とする請求項１から８のいずれか１項に記載のセキュリティシステム。
【請求項１０】
前記携帯端末は、前記アプリケーションソフトを起動し、所定の入力操作が行われた後、前記セキュリティ管理装置へ施錠状況の問い合わせ要求を行うとともに、前記ユーザ情報を送信し、
前記セキュリティ管理装置は、前記第１の制御部が、前記第１の通信部にて受信したユーザ情報を基に、前記携帯端末が登録済みのユーザであるかを、前記記憶部を参照して判断し、登録済みのユーザである場合、前記鍵制御装置又は前記ロック装置へ施錠状況を通知するように要求を送信することを特徴とする請求項１から９のいずれか１項に記載のセキュリティシステム。
【請求項１１】
前記携帯端末は、前記アプリケーションソフトを起動し、所定の入力操作が行われた後、前記セキュリティ管理装置へ施錠要求又は解錠要求を行うとともに、前記ユーザ情報を送信し、
前記セキュリティ管理装置は、前記第１の制御部が、前記第１の通信部を制御して、前記鍵制御装置又は前記ロック装置に対し、施錠要求又は解錠要求を送信することを特徴とする請求項１から１０のいずれか１項に記載のセキュリティシステム。
【請求項１２】
前記鍵制御装置又は前記ロック装置は、前記セキュリティ管理装置から前記施錠要求又は前記解錠要求を受信した場合、前記第２の制御部又は前記第３の制御部が、前記鍵操作部又は前記鍵部を制御して施錠又は解錠を行い、施錠又は解錠完了と同時に、施錠又は解錠が完了した旨の通知を前記セキュリティ管理装置へ送信することを特徴とする請求項１１記載のセキュリティシステム。
【請求項１３】
前記セキュリティ管理装置は、前記鍵制御装置又は前記ロック装置から施錠又は解錠完了通知を受信した場合、前記携帯端末に対し、施錠又は解錠完了を通知し、
前記携帯端末は、表示部に施錠又は解錠完了を知らせるメッセージを表示することを特徴とする請求項１２記載のセキュリティシステム。
【請求項１４】
前記セキュリティ管理装置は、施錠又は解錠完了を知らせるためのメールを前記メール生成部にて生成し、該メールを前記登録済みのユーザの携帯端末へ前記第１の通信部を介して送信することを特徴とする請求項１３記載のセキュリティシステム。
【請求項１５】
前記鍵制御装置又は前記ロック装置は、前記第１の施錠状態検知手段又は前記第２の施錠状態検知手段が不正な解錠を検知した場合、前記セキュリティ管理装置へ異常通知を送信し、
前記異常通知の受信した前記セキュリティ管理装置は、異常を通知するためのメールを前記メール生成手段にて生成し、該メールを前記登録済みのユーザの携帯端末へメールを送信することを特徴とする請求項１から１４のいずれか１項に記載のセキュリティシステム。
【請求項１６】
前記セキュリティ管理装置は、前記記憶部を参照して、予め登録された前記環境情報の設定に従ってアラーム鳴動を行い、周囲に異常を知らせることを特徴とする請求項１５記載のセキュリティシステム。
【請求項１７】
請求項１から１６に記載のセキュリティシステムの携帯端末であって、
アプリケーションソフトの起動によって、所定の操作が行われた後、無線通信を行い、セキュリティ管理装置を介して、鍵制御装置と、ロック装置と、を制御することを特徴とする携帯端末。
【請求項１８】
請求項１から１６に記載のセキュリティシステムのセキュリティ管理装置であって、
携帯端末、鍵制御装置、及びロック装置と無線通信を行うことを特徴とするセキュリティ管理装置。
【請求項１９】
請求項１から１６に記載のセキュリティシステムの鍵制御装置であって、
窓や扉に設けられた既存の鍵に設けられ、該既存の鍵の施錠及び解錠を制御することを特徴とする鍵制御装置。
【請求項２０】
請求項１から１６に記載のセキュリティシステムのロック装置であって、
窓や扉の所定の位置に設けられ、既存の鍵とは別に、該窓や扉の施錠及び解錠を行うことを特徴とするロック装置。
【請求項２１】
窓や扉に設けられた既存の鍵に設けられ、該既存の鍵の施錠及び解錠を制御する鍵制御装置と、
前記窓や扉の所定の位置に設けられ、前記既存の鍵とは別に、該窓や扉の施錠及び解錠を行うロック装置と、
前記鍵制御装置及び前記ロック装置と無線通信を行うセキュリティ管理装置と、
前記セキュリティ管理装置と無線通信を行う携帯端末と、を用いて行うセキュリティ方法であって、
前記携帯端末は、前記鍵制御装置と、前記ロック装置と、前記セキュリティ管理装置とを制御するためのアプリケーションソフトを具備し、
前記携帯端末は、前記アプリケーションソフトの起動によって、所定の操作が行われた後、無線通信を行い、前記セキュリティ管理装置を介して、前記鍵制御装置と、前記ロック装置と、を制御することを特徴とするセキュリティ方法。
【請求項２２】
前記セキュリティ管理装置は、
前記携帯端末から施錠又は解錠の要求を受信した場合、前記鍵制御装置及び前記ロック装置に対し、施錠又は解錠要求を送信するステップを有することを特徴とする請求項２１記載のセキュリティ方法。
【請求項２３】
前記セキュリティ管理装置は、
前記携帯端末から施錠状況の問い合わせ要求を受信した場合、前記鍵制御装置及び前記ロック装置に対し、施錠状況の問い合わせ要求を送信するステップと、
前記鍵制御装置及び前記ロック装置から受信した施錠状況を前記携帯端末へ送信するステップと、
を有することを特徴とする請求項２１又は２２記載のセキュリティ方法。
【請求項２４】
前記鍵制御装置は、
前記セキュリティ管理装置から施錠又は解錠の要求を受信した場合、前記既存の鍵の施錠又は解錠操作を行うステップを有することを特徴とする請求項２１から２３のいずれか１項に記載のセキュリティ方法。
【請求項２５】
前記鍵制御装置は、
前記セキュリティ管理装置から施錠状況の問い合わせ要求を受信した場合、施錠状況を検知するステップと、
前記検知結果を前記セキュリティ管理装置へ送信するステップと、
を有することを特徴とする請求項２１から２４のいずれか１項に記載のセキュリティ方法。
【請求項２６】
前記ロック装置は、
前記セキュリティ管理装置から施錠又は解錠の要求を受信した場合、施錠又は解錠を行うステップを有することを特徴とする請求項２１から２５のいずれか１項に記載のセキュリティ方法。
【請求項２７】
前記ロック装置は、
前記セキュリティ管理装置から施錠状況の問い合わせ要求を受信した場合、施錠状況を検知するステップと、
前記検知結果を前記セキュリティ管理装置へ送信するステップと、
を有することを特徴とする請求項２１から２６のいずれか１項に記載のセキュリティ方法。
【請求項２８】
前記携帯端末は、
前記アプリケーションの起動後、所定の入力操作によって、前記ユーザ情報及び前記環境情報が入力されるステップと、
該ユーザ情報及び該環境情報を前記セキュリティ管理装置へ送信するステップと、を有し、
前記セキュリティ管理装置は、
前記ユーザ情報及び前記環境情報を登録するステップと、
を有することを特徴とする請求項２１から２７のいずれか１項に記載のセキュリティ方法。
【請求項２９】
前記セキュリティ管理装置は、
新規ユーザが登録された場合、登録済みのユーザに対して新規ユーザが登録されたことを知らせるためのメールを生成するステップと、
該メールを前記登録済みのユーザの携帯端末へ送信するステップと、
を有することを特徴とする請求項２１から２８のいずれか１項に記載のセキュリティ方法。
【請求項３０】
前記携帯端末は、
前記アプリケーションソフトを起動し、所定の入力操作が行われた後、前記セキュリティ管理装置へ施錠状況の問い合わせ要求を行うとともに、前記ユーザ情報を送信するステップを有し、
前記セキュリティ管理装置は、
前記ユーザ情報を基に、前記携帯端末が登録済みのユーザであるかを判断するステップと、
登録済みのユーザである場合、前記鍵制御装置又は前記ロック装置へ施錠状況を通知するように要求を送信するステップと、
を有することを特徴とする請求項２１から２９のいずれか１項に記載のセキュリティ方法。
【請求項３１】
前記携帯端末は、
前記アプリケーションソフトを起動し、所定の入力操作が行われた後、前記セキュリティ管理装置へ施錠要求又は解錠要求を行うとともに、前記ユーザ情報を送信するステップを有し、
前記セキュリティ管理装置は、
前記鍵制御装置又は前記ロック装置に対し、施錠要求又は解錠要求を送信するステップを有することを特徴とする請求項２１から３０のいずれか１項に記載のセキュリティ方法。
【請求項３２】
前記鍵制御装置又は前記ロック装置は、
前記セキュリティ管理装置から前記施錠要求又は前記解錠要求を受信した場合、施錠又は解錠を行うステップと、
施錠又は解錠が完了した旨の通知を前記セキュリティ管理装置へ送信するステップと、
を有することを特徴とする請求項３１記載のセキュリティ方法。
【請求項３３】
前記セキュリティ管理装置は、
前記鍵制御装置又は前記ロック装置から施錠又は解錠完了通知を受信した場合、前記携帯端末に対し、施錠又は解錠完了を通知するステップを有し、
前記携帯端末は、
表示部に施錠又は解錠完了を知らせるメッセージを表示するステップを有することを特徴とする請求項３２記載のセキュリティ方法。
【請求項３４】
前記セキュリティ管理装置は、
施錠又は解錠完了を知らせるためのメールを生成するステップと、
該メールを前記登録済みのユーザの携帯端末へ送信するステップと、
を有することを特徴とする請求項３３記載のセキュリティ方法。
【請求項３５】
前記鍵制御装置又は前記ロック装置は、
不正な解錠を検知した場合、前記セキュリティ管理装置へ異常通知を送信するステップを有し、
前記セキュリティ管理装置は、
前記異常通知を受信した場合、異常を通知するためのメールを生成するステップと、
該メールを前記登録済みのユーザの携帯端末へメールを送信するステップと、
を有することを特徴とする請求項２１から３４のいずれか１項に記載のセキュリティ方法。
【請求項３６】
前記セキュリティ管理装置は、
予め登録された前記環境情報の設定に従ってアラーム鳴動を行い、周囲に異常を知らせるステップを有することを特徴とする請求項３５記載のセキュリティ方法。
【請求項３７】
窓や扉に設けられた既存の鍵に設けられ、該既存の鍵の施錠及び解錠を制御する鍵制御装置と、
前記窓や扉の所定の位置に設けられ、前記既存の鍵とは別に、該窓や扉の施錠及び解錠を行うロック装置と、
前記鍵制御装置及び前記ロック装置と無線通信を行うセキュリティ管理装置と、
前記セキュリティ管理装置と無線通信を行う携帯端末と、を制御してセキュリティシステムを動作させるためのプログラムであって、
該プログラムは前記携帯端末に具備され、
前記携帯端末に、
無線通信によって、前記セキュリティ管理装置を介して、前記鍵制御装置と、前記ロック装置と、を制御する処理を実行させるプログラム。
【請求項３８】
前記セキュリティ管理装置に、
前記携帯端末から施錠又は解錠の要求を受信した場合、前記鍵制御装置及び前記ロック装置に対し、施錠又は解錠要求を送信する処理を実行させる請求項３７記載のプログラム。
【請求項３９】
前記セキュリティ管理装置に、
前記携帯端末から施錠状況の問い合わせ要求を受信した場合、前記鍵制御装置及び前記ロック装置に対し、施錠状況の問い合わせ要求を送信する処理と、
前記鍵制御装置及び前記ロック装置から受信した施錠状況を前記携帯端末へ送信する処理と、
を実行させる請求項３７又は３８記載のプログラム。
【請求項４０】
前記鍵制御装置に、
前記セキュリティ管理装置から施錠又は解錠の要求を受信した場合、前記既存の鍵の施錠又は解錠操作を行う処理を実行させる請求項３７から３９のいずれか１項に記載のプログラム。
【請求項４１】
前記鍵制御装置に、
前記セキュリティ管理装置から施錠状況の問い合わせ要求を受信した場合、施錠状況を検知する処理と、
前記検知結果を前記セキュリティ管理装置へ送信する処理と、
を実行させる請求項３７から４０のいずれか１項に記載のプログラム。
【請求項４２】
前記ロック装置に、
前記セキュリティ管理装置から施錠又は解錠の要求を受信した場合、施錠又は解錠を行う処理を実行させる請求項３７から４１のいずれか１項に記載のプログラム。
【請求項４３】
前記ロック装置に、
前記セキュリティ管理装置から施錠状況の問い合わせ要求を受信した場合、施錠状況を検知する処理と、
前記検知結果を前記セキュリティ管理装置へ送信する処理と、
を実行させる請求項３７から４２のいずれか１項に記載のプログラム。
【請求項４４】
前記携帯端末に、
所定の入力操作によって入力された、ユーザ情報及び環境情報を前記セキュリティ管理装置へ送信する処理を実行させ、
前記セキュリティ管理装置に、
前記ユーザ情報及び前記環境情報を登録する処理を実行させる請求項３７から４３のいずれか１項に記載のプログラム。
【請求項４５】
前記セキュリティ管理装置に、
新規ユーザが登録された場合、登録済みのユーザに対して新規ユーザが登録されたことを知らせるためのメールを生成する処理と、
該メールを前記登録済みのユーザの携帯端末へ送信する処理と、
を実行させる請求項３７から４４のいずれか１項に記載のプログラム。
【請求項４６】
前記携帯端末に、
前記セキュリティ管理装置へ施錠状況の問い合わせ要求を行うとともに、前記ユーザ情報を送信する処理を実行させ、
前記セキュリティ管理装置に、
前記ユーザ情報を基に、前記携帯端末が登録済みのユーザであるかを判断する処理と、
登録済みのユーザである場合、前記鍵制御装置又は前記ロック装置へ施錠状況を通知するように要求を送信する処理と、
を実行させる請求項３７から４５のいずれか１項に記載のプログラム。
【請求項４７】
前記携帯端末に、
前記セキュリティ管理装置へ施錠要求又は解錠要求を行うとともに、前記ユーザ情報を送信する処理を実行させ、
前記セキュリティ管理装置に、
前記鍵制御装置又は前記ロック装置に対し、施錠要求又は解錠要求を送信する処理を実行させる請求項３７から４６のいずれか１項に記載のプログラム。
【請求項４８】
前記鍵制御装置又は前記ロック装置に、
前記セキュリティ管理装置から前記施錠要求又は前記解錠要求を受信した場合、施錠又は解錠を行う処理と、
施錠又は解錠が完了した旨の通知を前記セキュリティ管理装置へ送信する処理と、
を実行させる請求項４７記載のプログラム。
【請求項４９】
前記セキュリティ管理装置に、
前記鍵制御装置又は前記ロック装置から施錠又は解錠完了通知を受信した場合、前記携帯端末に対し、施錠又は解錠完了を通知する処理を実行させ、
前記携帯端末に、
表示部に施錠又は解錠完了を知らせるメッセージを表示する処理を実行させる請求項４８記載のプログラム。
【請求項５０】
前記セキュリティ管理装置に、
施錠又は解錠完了を知らせるためのメールを生成する処理と、
該メールを前記登録済みのユーザの携帯端末へ送信する処理と、
を実行させる請求項４９記載のプログラム。
【請求項５１】
前記鍵制御装置又は前記ロック装置に、
不正な解錠を検知した場合、前記セキュリティ管理装置へ異常通知を送信する処理を実行させ、
前記セキュリティ管理装置に、
前記異常通知を受信した場合、異常を通知するためのメールを生成する処理と、
該メールを前記登録済みのユーザの携帯端末へメールを送信する処理と、
を実行させる請求項３７から５０のいずれか１項に記載のプログラム。
【請求項５２】
前記セキュリティ管理装置に、
予め登録された前記環境情報の設定に従ってアラーム鳴動を行い、周囲に異常を知らせる処理を実行させる請求項５１記載のプログラム。
【発明の詳細な説明】
【技術分野】
【０００１】
本発明は、家屋等の窓やドアの施錠を管理及び制御するための、セキュリティシステムとその方法、携帯端末、セキュリティ管理装置、鍵制御装置、ロック装置、プログラムに関する。
【背景技術】
【０００２】
従来、家屋等の出入り口の施錠を管理及び制御するためのセキュリティシステムが実用化されている。例えば、窓やドアの鍵の施錠状態を外出先から把握し、遠隔操作によって鍵の施錠・解錠操作を行うシステムがある（例えば、特許文献１参照）。一方、窓やドア自体の加工の必要なく、容易に取り付けることが可能なロック装置がある（例えば、特許文献２参照）。
【特許文献１】特開平１１−２２２９５号公報
【特許文献２】特開２００１−３５５３５９号公報
【発明の開示】
【発明が解決しようとする課題】
【０００３】
しかしながら、特許文献１記載の発明は、窓の枠体に窓側制御装置を収容する工事を行う必要があるため、設置が容易でなく、また、枠体のないドア等に適用するのは困難である。一方、特許文献２記載の発明に代表されるロック装置は、外開きの扉において、ロックバーを扉の枠に引っ掛けて施錠するため、横開きの窓や扉等に適用できない。
【０００４】
本発明は、上記事情に鑑みてなされたものであり、大がかりな工事の必要が無く、設置コストが安価で、かつ、汎用性が高い、セキュリティシステムとその方法、携帯端末、セキュリティ管理装置、鍵制御装置、ロック装置、プログラムを提供することを目的とする。
【課題を解決するための手段】
【０００５】
かかる目的を達成するために、請求項１記載の発明は、窓や扉に設けられた既存の鍵に設けられ、既存の鍵の施錠及び解錠を制御する鍵制御装置と、窓や扉の所定の位置に設けられ、既存の鍵とは別に、窓や扉の施錠及び解錠を行うロック装置と、鍵制御装置及びロック装置と無線通信を行うセキュリティ管理装置と、セキュリティ管理装置と無線通信を行う携帯端末と、を有するセキュリティシステムであって、携帯端末は、鍵制御装置と、ロック装置と、セキュリティ管理装置とを制御するためのアプリケーションソフトを具備し、携帯端末は、アプリケーションソフトの起動によって、所定の操作が行われた後、無線通信を行い、セキュリティ管理装置を介して、鍵制御装置と、ロック装置と、を制御することを特徴とする。
【０００６】
請求項２記載の発明は、請求項１記載の発明において、セキュリティ管理装置は、携帯端末、鍵制御装置、ロック装置と無線通信を行うための第１の通信部と、携帯端末の識別子情報及び環境情報を保持する記憶部と、携帯端末へ送信するメールを生成するメール生成部と、各部を制御する第１の制御部、とを有し、第１の通信部を介して携帯端末から施錠又は解錠の要求を受信した場合、鍵制御装置及びロック装置に対し、第１の通信部を介して施錠又は解錠要求を送信することを特徴とする。
【０００７】
請求項３記載の発明は、請求項１又は２記載の発明において、セキュリティ管理装置は、第１の通信部を介して携帯端末から施錠状況の問い合わせ要求を受信した場合、鍵制御装置及びロック装置に対し、第１の通信部を介して施錠状況の問い合わせ要求を送信し、鍵制御装置及びロック装置から第１の通信部を介して受信した施錠状況を携帯端末へ送信することを特徴とする。
【０００８】
請求項４記載の発明は、請求項１から３のいずれか１項に記載の発明において、鍵制御装置は、既存の鍵の施錠状況を検知する第１の施錠状況検知部と、セキュリティ管理装置と無線通信を行うための第２の通信部と、既存の鍵の施錠及び解錠操作を行う鍵操作部と、各部を制御する第２の制御部、とを有し、第２の通信部を介してセキュリティ管理装置から施錠又は解錠の要求を受信した場合、鍵操作部にて既存の鍵の施錠又は解錠操作を行うことを特徴とする。
【０００９】
請求項５記載の発明は、請求項１から４のいずれか１項に記載の発明において、鍵制御装置は、第２の通信部を介してセキュリティ管理装置から施錠状況の問い合わせ要求を受信した場合、第１の施錠状況検知部にて施錠状況を検知し、第２の通信部を介して検知結果をセキュリティ管理装置へ送信することを特徴とする。
【００１０】
請求項６記載の発明は、請求項１から５のいずれか１項に記載の発明において、ロック装置は、施錠状況を検知する第２の施錠状況検知部と、セキュリティ管理装置と無線通信を行うための第３の通信部と、施錠又は解錠を行う鍵部と、各部を制御する第３の制御部、とを有し、第３の通信部を介してセキュリティ管理装置から施錠又は解錠の要求を受信した場合、鍵部にて施錠又は解錠を行うことを特徴とする。
【００１１】
請求項７記載の発明は、請求項１から６のいずれか１項に記載の発明において、ロック装置は、第３の通信部を介してセキュリティ管理装置から施錠状況の問い合わせ要求を受信した場合、第２の施錠状況検知部にて施錠状況を検知し、第３の通信部を介して検知結果をセキュリティ管理装置へ送信することを特徴とする。
【００１２】
請求項８記載の発明は、請求項１から７のいずれか１項に記載の発明において、携帯端末は、アプリケーションの起動後、所定の入力操作によって、ユーザ情報及び環境情報が入力され、ユーザ情報及び環境情報をセキュリティ管理装置へ送信し、セキュリティ管理装置は、第１の通信部にて受信したユーザ情報及び環境情報を記憶部に登録することを特徴とする。
【００１３】
請求項９記載の発明は、請求項１から８のいずれか１項に記載の発明において、セキュリティ管理装置は、新規ユーザが登録された場合、登録済みのユーザに対して新規ユーザが登録されたことを知らせるためのメールをメール生成部にて生成し、メールを登録済みのユーザの携帯端末へ第１の通信部を介して送信することを特徴とする。
【００１４】
請求項１０記載の発明は、請求項１から９のいずれか１項に記載の発明において、携帯端末は、アプリケーションソフトを起動し、所定の入力操作が行われた後、セキュリティ管理装置へ施錠状況の問い合わせ要求を行うとともに、ユーザ情報を送信し、セキュリティ管理装置は、第１の制御部が、第１の通信部にて受信したユーザ情報を基に、携帯端末が登録済みのユーザであるかを、記憶部を参照して判断し、登録済みのユーザである場合、鍵制御装置又はロック装置へ施錠状況を通知するように要求を送信することを特徴とする。
【００１５】
請求項１１記載の発明は、請求項１から１０のいずれか１項に記載の発明において、携帯端末は、アプリケーションソフトを起動し、所定の入力操作が行われた後、セキュリティ管理装置へ施錠要求又は解錠要求を行うとともに、ユーザ情報を送信し、セキュリティ管理装置は、第１の制御部が、第１の通信部を制御して、鍵制御装置又はロック装置に対し、施錠要求又は解錠要求を送信することを特徴とする。
【００１６】
請求項１２記載の発明は、請求項１１記載の発明において、鍵制御装置又はロック装置は、セキュリティ管理装置から施錠要求又は解錠要求を受信した場合、第２の制御部又は第３の制御部が、鍵操作部又は鍵部を制御して施錠又は解錠を行い、施錠又は解錠完了と同時に、施錠又は解錠が完了した旨の通知をセキュリティ管理装置へ送信することを特徴とする。
【００１７】
請求項１３記載の発明は、請求項１２記載の発明において、セキュリティ管理装置は、鍵制御装置又はロック装置から施錠又は解錠完了通知を受信した場合、携帯端末に対し、施錠又は解錠完了を通知し、携帯端末は、表示部に施錠又は解錠完了を知らせるメッセージを表示することを特徴とする。
【００１８】
請求項１４記載の発明は、請求項１３記載の発明において、セキュリティ管理装置は、施錠又は解錠完了を知らせるためのメールをメール生成部にて生成し、メールを登録済みのユーザの携帯端末へ第１の通信部を介して送信することを特徴とする。
【００１９】
請求項１５記載の発明は、請求項１から１４のいずれか１項に記載の発明において、鍵制御装置又はロック装置は、第１の施錠状態検知手段又は第２の施錠状態検知手段が不正な解錠を検知した場合、セキュリティ管理装置へ異常通知を送信し、異常通知の受信したセキュリティ管理装置は、異常を通知するためのメールをメール生成手段にて生成し、メールを登録済みのユーザの携帯端末へメールを送信することを特徴とする。
【００２０】
請求項１６記載の発明は、請求項１５記載の発明において、セキュリティ管理装置は、記憶部を参照して、予め登録された環境情報の設定に従ってアラーム鳴動を行い、周囲に異常を知らせることを特徴とする。
【００２１】
請求項１７記載の発明は、請求項１から１６に記載のセキュリティシステムの携帯端末であって、アプリケーションソフトの起動によって、所定の操作が行われた後、無線通信を行い、セキュリティ管理装置を介して、鍵制御装置と、ロック装置と、を制御することを特徴とする。
【００２２】
請求項１８記載の発明は、請求項１から１６に記載のセキュリティシステムのセキュリティ管理装置であって、携帯端末、鍵制御装置、及びロック装置と無線通信を行うことを特徴とする。
【００２３】
請求項１９記載の発明は、請求項１から１６に記載のセキュリティシステムの鍵制御装置であって、窓や扉に設けられた既存の鍵に設けられ、既存の鍵の施錠及び解錠を制御することを特徴とする。
【００２４】
請求項２０記載の発明は、請求項１から１６に記載のセキュリティシステムのロック装置であって、窓や扉の所定の位置に設けられ、既存の鍵とは別に、窓や扉の施錠及び解錠を行うことを特徴とする。
【００２５】
請求項２１記載の発明は、窓や扉に設けられた既存の鍵に設けられ、既存の鍵の施錠及び解錠を制御する鍵制御装置と、窓や扉の所定の位置に設けられ、既存の鍵とは別に、窓や扉の施錠及び解錠を行うロック装置と、鍵制御装置及びロック装置と無線通信を行うセキュリティ管理装置と、セキュリティ管理装置と無線通信を行う携帯端末と、を用いて行うセキュリティ方法であって、携帯端末は、鍵制御装置と、ロック装置と、セキュリティ管理装置とを制御するためのアプリケーションソフトを具備し、携帯端末は、アプリケーションソフトの起動によって、所定の操作が行われた後、無線通信を行い、セキュリティ管理装置を介して、鍵制御装置と、ロック装置と、を制御することを特徴とする。
【００２６】
請求項２２記載の発明は、請求項２１記載の発明において、セキュリティ管理装置は、携帯端末から施錠又は解錠の要求を受信した場合、鍵制御装置及びロック装置に対し、施錠又は解錠要求を送信するステップを有することを特徴とする。
【００２７】
請求項２３記載の発明は、請求項２１又は２２記載の発明において、セキュリティ管理装置は、携帯端末から施錠状況の問い合わせ要求を受信した場合、鍵制御装置及びロック装置に対し、施錠状況の問い合わせ要求を送信するステップと、鍵制御装置及びロック装置から受信した施錠状況を携帯端末へ送信するステップと、を有することを特徴とする。
【００２８】
請求項２４記載の発明は、請求項２１から２３のいずれか１項に記載の発明において、鍵制御装置は、セキュリティ管理装置から施錠又は解錠の要求を受信した場合、既存の鍵の施錠又は解錠操作を行うステップを有することを特徴とする。
【００２９】
請求項２５記載の発明は、請求項２１から２４のいずれか１項に記載の発明において、鍵制御装置は、セキュリティ管理装置から施錠状況の問い合わせ要求を受信した場合、施錠状況を検知するステップと、検知結果をセキュリティ管理装置へ送信するステップと、を有することを特徴とする。
【００３０】
請求項２６記載の発明は、請求項２１から２５のいずれか１項に記載の発明において、ロック装置は、セキュリティ管理装置から施錠又は解錠の要求を受信した場合、施錠又は解錠を行うステップを有することを特徴とする。
【００３１】
請求項２７記載の発明は、請求項２１から２６のいずれか１項に記載の発明において、ロック装置は、セキュリティ管理装置から施錠状況の問い合わせ要求を受信した場合、施錠状況を検知するステップと、検知結果をセキュリティ管理装置へ送信するステップと、を有することを特徴とする。
【００３２】
請求項２８記載の発明は、請求項２１から２７のいずれか１項に記載の発明において、携帯端末は、アプリケーションの起動後、所定の入力操作によって、ユーザ情報及び環境情報が入力されるステップと、ユーザ情報及び環境情報をセキュリティ管理装置へ送信するステップと、を有し、セキュリティ管理装置は、ユーザ情報及び環境情報を登録するステップと、を有することを特徴とする。
【００３３】
請求項２９記載の発明は、請求項２１から２８のいずれか１項に記載の発明において、セキュリティ管理装置は、新規ユーザが登録された場合、登録済みのユーザに対して新規ユーザが登録されたことを知らせるためのメールを生成するステップと、メールを登録済みのユーザの携帯端末へ送信するステップと、を有することを特徴とする。
【００３４】
請求項３０記載の発明は、請求項２１から２９のいずれか１項に記載の発明において、携帯端末は、アプリケーションソフトを起動し、所定の入力操作が行われた後、セキュリティ管理装置へ施錠状況の問い合わせ要求を行うとともに、ユーザ情報を送信するステップを有し、セキュリティ管理装置は、ユーザ情報を基に、携帯端末が登録済みのユーザであるかを判断するステップと、登録済みのユーザである場合、鍵制御装置又はロック装置へ施錠状況を通知するように要求を送信するステップと、を有することを特徴とする。
【００３５】
請求項３１記載の発明は、請求項２１から３０のいずれか１項に記載の発明において、携帯端末は、アプリケーションソフトを起動し、所定の入力操作が行われた後、セキュリティ管理装置へ施錠要求又は解錠要求を行うとともに、ユーザ情報を送信するステップを有し、セキュリティ管理装置は、鍵制御装置又はロック装置に対し、施錠要求又は解錠要求を送信するステップを有することを特徴とする。
【００３６】
請求項３２記載の発明は、請求項３１記載の発明において、鍵制御装置又はロック装置は、セキュリティ管理装置から施錠要求又は解錠要求を受信した場合、施錠又は解錠を行うステップと、施錠又は解錠が完了した旨の通知をセキュリティ管理装置へ送信するステップと、を有することを特徴とする。
【００３７】
請求項３３記載の発明は、請求項３２記載の発明において、セキュリティ管理装置は、鍵制御装置又はロック装置から施錠又は解錠完了通知を受信した場合、携帯端末に対し、施錠又は解錠完了を通知するステップを有し、携帯端末は、表示部に施錠又は解錠完了を知らせるメッセージを表示するステップを有することを特徴とする。
【００３８】
請求項３４記載の発明は、請求項３３記載の発明において、セキュリティ管理装置は、施錠又は解錠完了を知らせるためのメールを生成するステップと、メールを登録済みのユーザの携帯端末へ送信するステップと、を有することを特徴とする。
【００３９】
請求項３５記載の発明は、請求項２１から３４のいずれか１項に記載の発明において、鍵制御装置又はロック装置は、不正な解錠を検知した場合、セキュリティ管理装置へ異常通知を送信するステップを有し、セキュリティ管理装置は、異常通知を受信した場合、異常を通知するためのメールを生成するステップと、メールを登録済みのユーザの携帯端末へメールを送信するステップと、を有することを特徴とする。
【００４０】
請求項３６記載の発明は、請求項３５記載の発明において、セキュリティ管理装置は、予め登録された環境情報の設定に従ってアラーム鳴動を行い、周囲に異常を知らせるステップを有することを特徴とする。
【００４１】
請求項３７記載の発明は、窓や扉に設けられた既存の鍵に設けられ、既存の鍵の施錠及び解錠を制御する鍵制御装置と、窓や扉の所定の位置に設けられ、既存の鍵とは別に、窓や扉の施錠及び解錠を行うロック装置と、鍵制御装置及びロック装置と無線通信を行うセキュリティ管理装置と、セキュリティ管理装置と無線通信を行う携帯端末と、を制御してセキュリティシステムを動作させるためのプログラムであって、プログラムは携帯端末に具備され、携帯端末に、無線通信によって、セキュリティ管理装置を介して、鍵制御装置と、ロック装置と、を制御する処理を実行させる。
【００４２】
請求項３８記載の発明は、請求項３７記載の発明において、セキュリティ管理装置に、携帯端末から施錠又は解錠の要求を受信した場合、鍵制御装置及びロック装置に対し、施錠又は解錠要求を送信する処理を実行させる。
【００４３】
請求項３９記載の発明は、請求項３７又は３８記載の発明において、セキュリティ管理装置に、携帯端末から施錠状況の問い合わせ要求を受信した場合、鍵制御装置及びロック装置に対し、施錠状況の問い合わせ要求を送信する処理と、鍵制御装置及びロック装置から受信した施錠状況を携帯端末へ送信する処理と、を実行させる。
【００４４】
請求項４０記載の発明は、請求項３７から３９のいずれか１項に記載の発明において、鍵制御装置に、セキュリティ管理装置から施錠又は解錠の要求を受信した場合、既存の鍵の施錠又は解錠操作を行う処理を実行させる。
【００４５】
請求項４１記載の発明は、請求項３７から４０のいずれか１項に記載の発明において、鍵制御装置に、セキュリティ管理装置から施錠状況の問い合わせ要求を受信した場合、施錠状況を検知する処理と、検知結果をセキュリティ管理装置へ送信する処理と、を実行させる。
【００４６】
請求項４２記載の発明は、請求項３７から４１のいずれか１項に記載の発明において、ロック装置に、セキュリティ管理装置から施錠又は解錠の要求を受信した場合、施錠又は解錠を行う処理を実行させる。
【００４７】
請求項４３記載の発明は、請求項３７から４２のいずれか１項に記載の発明において、ロック装置に、セキュリティ管理装置から施錠状況の問い合わせ要求を受信した場合、施錠状況を検知する処理と、検知結果をセキュリティ管理装置へ送信する処理と、を実行させる。
【００４８】
請求項４４記載の発明は、請求項３７から４３のいずれか１項に記載の発明において、携帯端末に、所定の入力操作によって入力された、ユーザ情報及び環境情報をセキュリティ管理装置へ送信する処理を実行させ、セキュリティ管理装置に、ユーザ情報及び環境情報を登録する処理を実行させる。
【００４９】
請求項４５記載の発明は、請求項３７から４４のいずれか１項に記載の発明において、セキュリティ管理装置に、新規ユーザが登録された場合、登録済みのユーザに対して新規ユーザが登録されたことを知らせるためのメールを生成する処理と、メールを登録済みのユーザの携帯端末へ送信する処理と、を実行させる。
【００５０】
請求項４６記載の発明は、請求項３７から４５のいずれか１項に記載の発明において、携帯端末に、セキュリティ管理装置へ施錠状況の問い合わせ要求を行うとともに、ユーザ情報を送信する処理を実行させ、セキュリティ管理装置に、ユーザ情報を基に、携帯端末が登録済みのユーザであるかを判断する処理と、登録済みのユーザである場合、鍵制御装置又はロック装置へ施錠状況を通知するように要求を送信する処理と、を実行させる。
【００５１】
請求項４７記載の発明は、請求項３７から４６のいずれか１項に記載の発明において、携帯端末に、セキュリティ管理装置へ施錠要求又は解錠要求を行うとともに、ユーザ情報を送信する処理を実行させ、セキュリティ管理装置に、鍵制御装置又はロック装置に対し、施錠要求又は解錠要求を送信する処理を実行させる。
【００５２】
請求項４８記載の発明は、請求項４７記載の発明において、鍵制御装置又はロック装置に、セキュリティ管理装置から施錠要求又は解錠要求を受信した場合、施錠又は解錠を行う処理と、施錠又は解錠が完了した旨の通知をセキュリティ管理装置へ送信する処理と、を実行させる。
【００５３】
請求項４９記載の発明は、請求項４８記載の発明において、セキュリティ管理装置に、鍵制御装置又はロック装置から施錠又は解錠完了通知を受信した場合、携帯端末に対し、施錠又は解錠完了を通知する処理を実行させ、携帯端末に、表示部に施錠又は解錠完了を知らせるメッセージを表示する処理を実行させる。
【００５４】
請求項５０記載の発明は、請求項４９記載の発明において、セキュリティ管理装置に、施錠又は解錠完了を知らせるためのメールを生成する処理と、メールを登録済みのユーザの携帯端末へ送信する処理と、を実行させる。
【００５５】
請求項５１記載の発明は、請求項３７から５０のいずれか１項に記載の発明において、鍵制御装置又はロック装置に、不正な解錠を検知した場合、セキュリティ管理装置へ異常通知を送信する処理を実行させ、セキュリティ管理装置に、異常通知を受信した場合、異常を通知するためのメールを生成する処理と、メールを登録済みのユーザの携帯端末へメールを送信する処理と、を実行させる。
【００５６】
請求項５２記載の発明は、請求項５１記載の発明において、セキュリティ管理装置に、予め登録された環境情報の設定に従ってアラーム鳴動を行い、周囲に異常を知らせる処理を実行させる。
【発明の効果】
【００５７】
本発明によれば、大がかりな工事の必要が無く、設置コストが安価で、かつ、窓やドアについて汎用性が高い、セキュリティシステムを実現することが可能となる。
【発明を実施するための最良の形態】
【００５８】
以下、本発明を実施するための最良の形態について添付図面を参照して詳細に説明する。
【実施例】
【００５９】
まず、本発明の実施例の構成について説明する。本実施例のセキュリティシステムは、図１に示すように、携帯端末１、交換機２、セキュリティ管理装置３、鍵制御装置５，７、ロック装置４，６とを有する。本実施例では、住宅内にセキュリティ管理装置３が設置され、住宅の１Ｆと２Ｆの窓のそれぞれに鍵制御装置５，７、及びロック装置４，６が設置される構成とする。本実施例では、窓をセキュリティの対象としたが、ドアや扉を対象としてもよい。
【００６０】
携帯端末１は、ユーザによって操作される、携帯電話やＰＤＡ等の移動体通信端末であり、交換機２又はセキュリティ管理装置３と無線通信を行う。また、この携帯端末１は、セキュリティシステム用のアプリケーションソフトがインストールされている。このアプリケーションは、携帯端末１のユーザがセキュリティシステムを利用する際に起動するソフトウェアであり、例えば、携帯端末１のユーザによって行われる入力操作のための画面を表示したり、所定のセキュリティ管理装置や交換機と通信を行ったりするためのソフトである。後述する携帯端末１の処理動作は、このアプリケーションソフトの制御により行われる。
【００６１】
セキュリティ管理装置３は、住宅内部に設置される情報処理装置であり、図２に示すように、携帯端末１、鍵制御装置５，７、ロック装置４，６と無線通信を行うための通信部８、複数の携帯端末の識別子としてのユーザ情報（例えば、携帯電話番号やメールアドレス等）が予め登録される記憶部９、携帯端末１へ送信するＥメールを生成するメール生成部１０、プログラム制御により上記各部を制御して、以下に説明する所定の処理動作を実行する制御部１１、とを有する。このセキュリティ管理装置３は、無線ＬＡＮにより、予め登録された携帯端末１から施錠状況（所定の窓やドアが施錠状態であるか、又は解錠状態であるか）の要求を受信した場合、所定の窓やドアに設置された鍵制御装置５，７及びロック装置４，６に対し、通信部８を介して施錠状況の要求を送信し、鍵制御装置５，７及びロック装置４，６から通信部８を介して受信した施錠状況を携帯端末１へ送信する。また、無線ＬＡＮにより、予め登録された携帯端末１から施錠／解錠（所定の窓やドアを施錠するか、又は解錠するか）の要求を受信した場合、所定の窓やドアに設置された鍵制御装置５，７及びロック装置４，６に対し、通信部８を介して施錠／解錠要求を送信する。詳しくは後述する。なお、本実施例では、セキュリティ管理装置３の設置数を１つとしたが、複数設置してもよい。
【００６２】
鍵制御装置５，７は、窓に設置されている既存の鍵（例えば、押下型又は回転型）に上付けする形式であり、その鍵の施錠／解錠操作を行う構造である（素材や形状は問わない）。この鍵制御装置５，７は、図３に示すように、鍵の施錠状況を検知する施錠状況検知部１２、セキュリティ管理装置３と無線通信を行うための通信部１３、既存の鍵の施錠／解錠操作を行う鍵操作部１４、プログラム制御により上記各部を制御して、以下に説明する所定の処理動作を実行する制御部１５、とを有する。鍵制御装置５，７は、無線ＬＡＮにより、通信部１３を介してセキュリティ管理装置３から施錠状況の要求を受信した場合、施錠状況検知部１２にて施錠状況を検知し、通信部１３を介して検知結果（施錠状態or解錠状態）をセキュリティ管理装置３へ送信する。また、セキュリティ管理装置３から施錠／解錠の要求を受信した場合は、鍵操作部１４にて既存の鍵の施錠／解錠操作を行う。詳しくは後述する。なお、鍵操作部１４が行う施錠／解錠操作とは、既存の鍵が回転型の鍵の場合は、つまみ等を回転操作することであり、押下型の鍵の場合は、ボタン等を押下操作することである。
【００６３】
ロック装置４，６は、既存の鍵とは別に、補助的に施錠／解錠を行うための装置であり、窓やドアの所定の位置に設置される（素材や形状は問わない）。ロック装置４，６は、上記鍵制御装置５，７と同様に、鍵の施錠状況を検知する施錠状況検知部、セキュリティ管理装置３と無線通信を行うための通信部、施錠／解錠を行う鍵部、プログラム制御により上記各部を制御して、以下に説明する所定の処理動作を実行する制御部、とを有する。ロック装置４，６は、無線ＬＡＮにより、通信部を介してセキュリティ管理装置３から施錠状況の要求を受信した場合、施錠状況検知部にて施錠状況を検知し、通信部を介して検知結果（施錠状態or解錠状態）をセキュリティ管理装置３へ送信する。また、セキュリティ管理装置３から施錠／解錠の要求を受信した場合は、鍵部にて施錠／解錠を行うように制御する。詳しくは後述する。なお、上記鍵部は、従来技術のロック装置を適用できるものとし、窓やドアのタイプ（横開きタイプ又は外開きタイプ）に応じた構造を採用するものとする。鍵部として、例えば、窓が横開きタイプの場合は、窓側に引掛け部、窓近傍の壁等に受け部を設け、引掛け部が受け部に結合することにより施錠状態にする構造のロック装置を適用してもよい。また、ドアが外開きタイプの場合は、上記特許文献２のロック装置（図７参照）を適用してもよい。
【００６４】
交換機２は、一般の無線交換機であり、携帯端末１とセキュリティ管理装置３との無線通信を中継する。
【００６５】
次に、本実施例の動作について説明する。
まず、準備として、図１に示すように、セキュリティ管理装置３を住宅内の所定の位置に設置し、１Ｆと２Ｆの窓において、鍵制御装置５，７を既存の鍵にそれぞれ上付けし、ロック装置４，６を所定の位置にそれぞれ設置する。
【００６６】
次に、携帯端末１のユーザ登録を行う。ユーザは、携帯端末１にてセキュリティシステム用のアプリケーションを起動し、所定の入力操作によって、ユーザ情報（例えば、携帯電話番号やメールアドレス等）を入力する。入力されたユーザ情報はセキュリティ管理装置３へ送信される。セキュリティ管理装置３は、通信部８にて受信したユーザ情報を記憶部９に登録する。このユーザ登録により、予め登録されたユーザのみが本実施例のセキュリティシステムを使用することが可能となる。
【００６７】
なお、本実施例のセキュリティシステムは複数のユーザ（携帯端末）が使用することができる（例えば、家族等）。新規ユーザが登録された場合、セキュリティ管理装置３は、既存のユーザ（既に登録済みのユーザ）へ新規ユーザが登録されたことを知らせるためのＥメールをメール生成部１０にて生成し、生成したＥメールを既存のユーザの携帯端末へ通信部８を介して送信する。
【００６８】
次に、環境登録を行う。上記ユーザ登録と同様に、ユーザは、携帯端末１にてセキュリティシステム用のアプリケーションを起動し、所定の入力操作によって、環境情報（例えば、住宅の概略図、セキュリティ管理装置・鍵制御装置・ロック装置の設置場所、異常アラーム鳴動可否等）を入力する。入力された環境情報はセキュリティ管理装置３へ送信される。セキュリティ管理装置３は、通信部８にて受信した環境情報を記憶部９に登録する。
【００６９】
上記準備が完了後、以下に説明する各動作を行う。
まず、携帯端末１のユーザの外出時について図４を参照して説明する。
ユーザは、セキュリティシステム用のアプリケーションを起動する（ステップＳ１）。次に、所定の入力操作により、セキュリティ管理装置３へ施錠状況の問い合わせを要求する（ステップＳ２）。その際、ユーザ情報として、例えば、ユーザの携帯電話番号を送信する。
【００７０】
携帯端末１から要求を受けたセキュリティ管理装置３は、制御部１１が、通信部８にて受信した携帯電話番号が登録済みのユーザであるかを、記憶部９を参照して判断する（ステップＳ３）。登録済みのユーザである場合、制御部１１は通信部８を制御して、住宅内の窓に設置された全ての鍵制御装置５，７へ施錠状況を通知するように要求を行う。通信部１３を介して要求を受けた鍵制御装置５，７は、制御部１５が施錠状況検知部１２を制御し、施錠状況（窓の既存の鍵が施錠状態であるか、又は解錠状態であるか）を検知する。そして、制御部１５は、通信部１３を介して検知結果をセキュリティ管理装置３へ通知する（ステップＳ４）。
【００７１】
また、セキュリティ管理装置３の制御部１１は通信部８を制御して、住宅内の窓に設置された全てのロック装置４，６へ施錠状況を通知するように要求を行う。通信部を介して要求を受けたロック装置４，６では、ロック装置の制御部が施錠状況検知部を制御し、施錠状況（ロック装置が施錠状態であるか、又は解錠状態であるか）を検知する。そして、制御部は、通信部を介して検知結果をセキュリティ管理装置３へ通知する（ステップＳ５）。
【００７２】
セキュリティ管理装置３の制御部８は通信部８を制御して、ステップＳ４，Ｓ５で通知された検知結果である施錠状況を携帯端末１に通知する（ステップＳ６）。携帯端末１の表示部には、施錠状況が表示される（ステップＳ７）。
【００７３】
ここで、所定の窓の鍵制御装置又はロック装置の施錠状況が閉状態（施錠されていない状態）であり、ユーザが施錠を希望する場合、所定の操作により、セキュリティ管理装置３へ施錠要求を送信する（ステップＳ８）。
【００７４】
携帯端末１から施錠要求を受けたセキュリティ管理装置３は、制御部１１が通信部８を制御して、該当する鍵制御装置、又はロック装置へ施錠要求を行う。施錠要求を受けた鍵制御装置又はロック装置の制御部は、鍵操作部又は鍵部を制御して施錠を行う（ステップＳ９）。施錠完了と同時に、施錠が完了した旨の通知をセキュリティ管理装置３へ送信する。
【００７５】
セキュリティ管理装置３は、鍵制御装置又はロック装置から施錠完了通知を受信すると、携帯端末１に対し、施錠完了を通知する（ステップＳ１０）。携帯端末１は、表示部に施錠完了をユーザに知らせるメッセージを表示する。ここで、セキュリティ管理装置３は、施錠完了を知らせるためのメールをメール生成部にて生成し、登録されたユーザすべてに対し、施錠完了の通知メールを送信する。
【００７６】
次に、携帯端末１のユーザの帰宅時について図５を参照して説明する。
ユーザは、セキュリティシステム用のアプリケーションを起動する（ステップＳ１１）。次に、所定の操作により、セキュリティ管理装置３へ解錠を要求する（ステップＳ１２）。その際、ユーザ情報として、例えば、ユーザの携帯電話番号を送信する。
【００７７】
携帯端末１から解錠要求を受けたセキュリティ管理装置３では、制御部１１が、通信部８にて受信した携帯電話番号が登録済みのユーザであるかを、記憶部９を参照して判断する（ステップＳ１３）。登録済みのユーザである場合、通信部８を介して、該当する鍵制御装置、又はロック装置へ解錠要求を行う。解錠要求を受けた鍵制御装置又はロック装置は、鍵操作部又は鍵部にて解錠を行う（ステップＳ１４）。解錠完了と同時に、解錠が完了した旨の通知をセキュリティ管理装置３へ送信する。
【００７８】
セキュリティ管理装置３は、鍵制御装置又はロック装置から解錠完了通知を受信すると、携帯端末１に対し、解錠完了を通知する（ステップＳ１５）。携帯端末１は、表示部に解錠完了をユーザに知らせるメッセージを表示する。ここで、セキュリティ管理装置３は、解錠完了を知らせるためのメールをメール生成部にて生成し、登録されたユーザすべてに対し、解錠完了の通知メールを送信する。
【００７９】
次に、住宅の窓等の異常時について図６を参照して説明する。
施錠状態にも関わらず、鍵制御装置又はロック装置のいずれかが、解錠状態を検知した場合（ステップＳ２１）、異常としてセキュリティ管理装置３へ通知する（ステップＳ２２）。異常通知を受けたセキュリティ管理装置３では、異常を通知するためのメールをメール生成手段にて生成し、記憶部９を参照して、登録された全てのユーザの携帯端末に対し、交換機２を介して異常通知メールを送信する（ステップＳ２３〜ステップＳ２４）。同時に、セキュリティ管理装置３は、記憶部９を参照して、予め登録された環境情報の設定に従い、放音手段等によってアラーム鳴動を行い、周囲に異常を知らせる（ステップＳ２５）。
【００８０】
なお、異常時の通知方法をメール以外の手段（例えば、Java（登録商標）等のアプリ・基地局を介しての通知）によって実現してもよい。
【００８１】
以上説明したように、本実施例によれば、一般住宅において、複数の窓・ドアの鍵の施錠状況を携帯端末にて把握でき、外出時には遠隔操作により、窓やドアの既存の鍵の開閉、及び、補助的に設けられたロック装置による開閉を行うことで、より強化された防犯ができる。
【００８２】
また、施錠状態が閉状態にも関わらず、鍵や窓・ドアが開いた場合は、異常事態として、携帯端末にメールにて通知し、かつ、アラーム鳴動にて周囲に異常を知らせることができる。
【００８３】
また、設置について大がかりな工事の必要が無く、従来の鍵に適用可能であり、低コストで導入できる。
【００８４】
以上、本発明の実施例について説明したが、上記実施例に限定されるものではなく、その要旨を逸脱しない範囲において種々の変形が可能である。
【図面の簡単な説明】
【００８５】
【図１】本発明の実施例であるセキュリティシステムの全体構成を示す図である。
【図２】本発明の実施例であるセキュリティ管理装置の構成を示すブロック図である。
【図３】本発明の実施例である鍵制御装置の構成を示すブロック図である。
【図４】本発明の実施例に係り、外出時の動作を示すシーケンス図である。
【図５】本発明の実施例に係り、帰宅時の動作を示すシーケンス図である。
【図６】本発明の実施例に係り、異常時の動作を示すシーケンス図である。
【図７】従来技術の無線式電子ロック装置の駆動制御部を示す正面図である。
【符号の説明】
【００８６】
１    携帯端末
２    交換機
３    セキュリティ管理装置
４、６    鍵制御装置
５、７    ロック装置
８    セキュリティ管理装置の通信部
９    記憶部
１０    メール生成部
１１    セキュリティ管理装置の制御部
１２    施錠状態検知部
１３    鍵制御装置の通信部
１４    鍵操作部
１５    鍵制御装置の制御部
【図１】
2006348530.tif 000003
【図２】
2006348530.tif 000004
【図３】
2006348530.tif 000005
【図４】
2006348530.tif 000006
【図５】
2006348530.tif 000007
【図６】
2006348530.tif 000008
【図７】
2006348530.tif 000009